(57)【特許請求の範囲】
【請求項１】
上ケースを下ケースに開閉可能に取付け、下ケースに載置収容された証紙シートのミシン目に貫通可能な複数の突起針を設けるとともに、載置収容された証紙シートの余白部をクランプ・アンクランプ可能なクランパーを設けた、ことを特徴とする証紙の取扱い装置。
【請求項２】
前記下ケースの前記証紙シートの載置収容可能領域を除く部位でかつ前記突起針列の延長線上にカッター逃げ溝が形成されている請求項１記載の証紙の取扱い装置。
【請求項３】
前記上ケースと前記下ケースとを閉じた状態で前記下ケースの前記載置収容可能領域を除く部位に対応しかつ前記突起針列の延長線上に対応する前記上ケースの部位に前記下ケース側へ貫通するカッター挿入溝が形成されている請求項１または請求項２記載の証紙の取扱い装置。
【請求項４】
前記上ケースに、当該上ケースと前記下ケースとを閉じた状態で当該下ケース側に貫通する空気流動可能な空気穴が設けられている請求項１から請求項３までのいずれか１項に記載された証紙の取扱い装置。
【請求項５】
前記上ケースが、当該上ケースと下ケースとを閉じた状態において当該下ケースに載置収容された前記証紙シートを当該上ケースの外側から透視可能に形成されている請求項１から請求項４までのいずれか１項に記載された証紙の取扱い装置。
【請求項６】
前記クランパーが前記下ケースの幅方向に離隔配設されかつ同一軸線に回動可能に装着されるとともに先端側にクランプ部を有しかつ後端側に係止部を有する複数のクランパー要素から形成され、前記上ケースに各クランパー要素の係止部と係合して前記下ケースに対する前記上ケースの開き角度を規制する複数の開き角度規制部を形成し、さらに該各開き角度規制部が当該各係止部に係合した状態において前記上ケースを当該各クランパー要素の弾性復元力に抗する外力を加えて規制された開き角度よりも大きな角度に開いた場合に当該各クランプ部が前記下ケースに載置収容されている前記証紙の余白部から一斉にアンクランプ動作可能かつ前記上ケースから外力を除去した場合に各クランパー要素に弾性復元力によって当該各クランプ部が前記下ケースに載置収容されている前記証紙の余白部を一斉にクランプ動作可能に形成されている請求項１から請求項５までのいずれか１項に記載された証紙の取扱い装置。
【発明の詳細な説明】
【０００１】
【発明の属する技術分野】
本発明は、切手，印紙等を含む証紙の取扱い装置に関する。
【０００２】
【従来の技術】
切手、印紙等を含む証紙は、複数枚がマトリクス状に形成されたミシン目を介して連続した証紙シートとして作成され、郵便局員は顧客の所望する１または２以上の証紙を当該各証紙シートから引きちぎって販売している。ここにおいて、上記証紙シートの引きちぎりを行う場合には、郵便局員は証紙シートの切り裂くべきミシン目の両側部分を左右の手で持ち，当該ミシン目が端から切り開かれるように両手操作している。
【０００３】
また、証紙は公のものでかつ金券に属するものであることから、慎重な管理が行われている。すなわち、規模にもよるが、個人的な証紙箱を持ち、業務開始および終了の際にいわゆる棚卸をして、販売実績と残りとの照合を行うことが義務付けられている。
【０００４】
一方、全局員に共通の証紙箱を採用する場合には、開局および閉局の都度、あるいは必要によってその間の適時に、棚卸をしている。
【０００５】
【発明が解決しようとする課題】
しかし、いずれの場合の棚卸作業も、残りの証紙枚数を数えかつ種類別に集計しなければならず多大な労力と時間とを要する。特に、いわゆる虫食い状態の証紙シートやバラバラ（非連続）の残り枚数を数えることは、裏面に糊が塗布されていることもあって、非常に煩わしいばかりか計数ミスや集計ミスを生じ易い。また、証紙シートは、一般的に薄くて破れやすいため，郵便局員が証紙シートを持つ両手を慎重に操作してミシン目を切り開いても、当該ミシン目以外のシート部分が切り裂かれて証紙の品位が損なわれてしまう不都合が生じることがある。  本発明の目的は、証紙の棚卸作業を迅速かつ正確に行うことができ、かつ証紙を品位を損なうことなく証紙シートから容易かつ確実に引きちぎることができる証紙の取扱い装置を提供することにある。
【０００６】
【課題を解決するための手段】
請求項１の発明は、上ケースを下ケースに開閉可能に取付け、下ケースに載置収容された証紙シートのミシン目に貫通可能な複数の突起針を設けるとともに、載置収容された証紙シートの余白部をクランプ・アンクランプ可能なクランパーを設けた、ことを特徴とする。
【０００７】
かかる発明では、いわゆる虫食い状態の証紙シートやバラバラの証紙であっても下ケースに整然と載置収容しておくことができ、しかも当該証紙シート等を位置ずれさせることなく計数しやすい位置に動かすことができるので、証紙の棚卸作業を迅速かつ正確に行うことができる。
【０００８】
また、証紙シートは、クランパーおよび複数の突起針によって下ケースに係止されているので、販売員（例えば、郵便局員）が切り裂くべきミシン目の近くのシート部分を片手で持って切り裂き動作を行うと、当該ミシン目が端から切り開かれて証紙が引きちぎられる。
【０００９】
この際、証紙シートのミシン目には、複数の突起針を介して切り裂き力が集中して作用することになるため、ミシン目から外れた部分が切り裂かれてしまうことはない。なお、従来例のように、証紙の引きちぎりに当たって証紙シートを両手で持たなくてもよいので、手との接触面積が大幅に減少し、証紙シートの表面が汚れたり，その裏面に塗付された糊の粘着力が弱まったりするのを抑えることができる。
【００１０】
したがって、証紙を品位を損なうことなく証紙シートから引きちぎることができる。
【００１１】
請求項２の発明は、前記下ケースの前記証紙シートの載置収容可能領域を除く部位でかつ前記突起針列の延長線上にカッター逃げ溝が形成されている証紙の取扱い装置である。
【００１２】
かかる発明では、請求項１の発明の場合と同様な作用効果を奏し得るとともに、証紙の引きちぎりに当たって証紙シートの端からミシン目に至るまでの余白部分をカッターで切断する際、当該部分に対向して下ケースにはカッター逃げ溝が形成されているので、カッターによって当該余白部分に深く切り込みを入れることができる。したがって、証紙の一部が証紙シートの余白部分に接する場合でも迅速かつ確実に引きちぎることができる。
【００１３】
請求項３の発明は、前記上ケースと前記下ケースとを閉じた状態で前記下ケースの前記載置収容可能領域を除く部位に対応しかつ前記突起針列の延長線上に対応する前記上ケースの部位に前記下ケース側へ貫通するカッター挿入溝が形成されている証紙の取扱い装置である。
【００１４】
かかる発明では、上ケースと下ケースとを閉じたままの状態で、カッターを上ケースのカッター挿入溝内に挿入しその状態で動かすことにより、証紙シートの端からミシン目に至るまでの部分を迅速かつ正確に切断することができる。したがって、請求項１および請求項２の発明の場合と同様な作用効果を奏し得るとともに、証紙の一部が証紙シートの余白部分に接する場合でも迅速かつ確実に引きちぎることができる。
【００１５】
請求項４の発明は、前記上ケースに、当該上ケースと前記下ケースとを閉じた状態で当該下ケース側に貫通する空気流動可能な空気穴が設けられている証紙の取扱い装置である。
【００１６】
かかる発明では、請求項１から請求項３の発明の場合と同様な作用効果を奏し得るとともに、上ケースと下ケースとを閉じた状態から開放する場合、空気穴を介して空気が上ケースと下ケースに載置収容された証紙シートとの間に流入するので、両者間が負圧になることはなく、証紙シートが下ケースから持ち上がって位置ずれするのを防止することができる。
【００１７】
請求項５の発明は、前記上ケースが、当該上ケースと下ケースとを閉じた状態において当該下ケースに載置収容された前記証紙シートを当該上ケースの外側から透視可能に形成されている証紙の取扱い装置である。
【００１８】
かかる発明では、下ケースに載置収容された証紙シートを上ケースの外側から目視することができるので、下ケースと上ケースとを閉じたままの状態で証紙の計数，集計を行える。したがって、請求項１から請求項４の発明の場合と同様な作用効果を奏し得るとともに、証紙の棚卸作業を一段と迅速かつ正確に行うことができる。
【００１９】
請求項６の発明は、前記クランパーが前記下ケースの幅方向に離隔配設されかつ同一軸線に回動可能に装着されるとともに先端側にクランプ部を有しかつ後端側に係止部を有する複数のクランパー要素から形成され、前記上ケースに各クランパー要素の係止部と係合して前記下ケースに対する前記上ケースの開き角度を規制する複数の開き角度規制部を形成し、さらに該各開き角度規制部が当該各係止部に係合した状態において前記上ケースを当該各クランパー要素の弾性復元力に抗する外力を加えて規制された開き角度よりも大きな角度に開いた場合に当該各クランプ部が前記下ケースに載置収容されている前記証紙の余白部から一斉にアンクランプ動作可能かつ前記上ケースから外力を除去した場合に各クランパー要素の弾性復元力によって当該各クランプ部が前記下ケースに載置収容されている前記証紙の余白部を一斉にクランプ動作可能に形成されている証紙の取扱い装置である。
【００２０】
かかる発明では、請求項１から請求項５の発明の場合と同様な作用効果を奏し得るとともに、証紙シートが虫食い状態となったりバラバラの証紙になっても、各クランパー要素のうちの少くとも１つによって確実にクランプされるので、証紙の棚卸作業を一段と迅速かつ正確に行うことができる。
【００２１】
また、上ケースは各開き角度規制部によって開き角度が規制されるので、開放時に手等で保持する必要はなく、証紙シートの下ケースへの取付け・取外し，証紙の引きちぎり等を一段と迅速かつ確実に行える。
【００２２】
また、上ケースに外力を加えて当該上ケースを規制された開き角度以上に開くことによって各クランパー要素は一斉にアンクランプ動作し、当該上ケースから外力を除去することにより、各クランパー要素は弾性復元力によって一斉にクランプ動作する。したがって、下ケースへの証紙シートの取り外し，取り付けを一段と容易に行える。
【００２３】
【発明の実施の形態】
以下、本発明の実施形態を図面を参照して説明する。
本証紙の取扱い装置は、図１〜図５に示す如く、開閉可能に連結された上ケース１０と下ケース２０とを設け、下ケース２０に証紙シートＳをクランパー３０と複数の突起針４０とを用いて載置収容する構成とされている。
【００２４】
上ケース１０と下ケース２０とは、それぞれ長手方向（図１中上下方向）の一側端部を連結軸４５を介して相対回動可能に連結されている。
【００２５】
下ケース２０は、証紙シートＳを載置収容可能に形成されている。この下ケース２０には、載置収容した証紙シートＳのミシン目（Ｓａ，Ｓｂ）に貫通可能な複数の突起針４０が設けられているとともに、当該証紙シートＳの余白部をクランプ・アンクランプ可能なクランパー３０が設けられている。また、下ケース２０には、証紙シートＳの載置収容可能領域を除く部位でかつ突起針４０の延長線上にカッター逃げ溝２５が形成されている。
【００２６】
より具体的には、下ケース２０は、その図１中上下方向寸法（幅寸法）および図１中左右方向寸法がいずれも証紙シートＳの各対応寸法よりも大きな長方形状に形成されている。
【００２７】
突起針４０は、証紙シートＳから証紙Ｓ１を引きちぎる際に手などに損傷を与えないように、証紙シートＳのミシン目（Ｓａ，Ｓｂ）を確実に係止できる範囲で極力短く形成されている。
【００２８】
クランパー３０は、下ケース２０の幅方向に離隔配設されかつ同一軸線（ここでは、連結軸４５の軸線）に回動可能に装着された複数（例えば、６個）のクランパー要素３１から形成されている。各クランパー要素３１は、図３および図４に示す如く、その先端側にクランプ部３２が形成されかつ後端側に係止部３３が形成されている。
【００２９】
各カッター逃げ溝２５は、下ケース２０の各突起針４０列の延長線に沿って細長く貫通穿設されている。
【００３０】
上ケース１０は、図５に示す如く、閉じた場合に各側端が下ケース２０の対応する各側端と合致するように形成されている。上ケース１０と下ケース２０とを閉じた状態で下ケース２０の証紙シートＳの載置収容可能領域を除いた部位に対応しかつ突起針４０列の延長線上に対応する上ケース１０の部位に、下ケース２０へ貫通するカッター挿入溝１５が形成されている。
【００３１】
なお、下ケース２０に貫通穿設されたカッター逃げ溝２５は、当該下ケース２０に貫通穿設されており、カッター挿入溝（１５）としての機能をも果たすことができるものである。
【００３２】
また、上ケース１０には、当該上ケース１０と下ケース２０とを閉じた状態で当該下ケース２０側に貫通する空気穴１６が設けられている。この実施形態では、空気穴１６は、上ケース１０と下ケース２０とを閉じた場合に下ケース２０に載置収容された証紙シートＳのミシン目（Ｓａ，Ｓｂ）と対向するように設けられている。
【００３３】
また、上ケース１０は、当該上ケース１０と下ケース２０とを閉じた状態において当該下ケース２０に載置収容された証紙シートＳを当該上ケース１０の外側から透視可能に形成されている。
【００３４】
また、上ケース１０には、図４に示す如く、クランパー３０の各クランパー要素３１の係止部３３と係合して下ケース２０に対する上ケース１０の開き角度を規制する複数の開き角度規制部１７が形成されている。
【００３５】
そして、各開き角度規制部１７が各クランパー要素３１の係止部３３に係合した状態において上ケース１０を当該各クランパー要素３１の弾性復元力に抗する外力を加えて規制された開き角度よりも大きな角度に開いた場合に当該各クランプ部３２が下ケース２０に載置収容されている証紙シートＳの余白部から一斉にアンクランプ動作可能，かつ上ケース２０から外力を除去した場合に各クランパー要素３１に弾性復元力によって当該各クランプ部３２が下ケース２０に載置収容されている証紙シートＳの余白部を一斉にクランプ動作可能に形成されている。
【００３６】
次に、この実施形態の作用について説明する。
下ケース２０に証紙シートＳを載置収容するには、まず上ケース１０を手で持って外力を加え規制された開き角度よりも大きな角度に開く。これにより、各クランパー要素３１が一斉にアンクランプ動作するので、証紙シートＳをミシン目（Ｓａ，Ｓｂ）に各突起針４０が貫通するように下ケース２０の載置収容可能領域に載置する。
【００３７】
次に、その状態で上ケース１０に掛けている外力を除去すると、各クランパー要素３１が弾性復元力によって一斉にクランプ動作し、上記証紙シートＳの余白部をクランプする。これにより、証紙シートＳは下ケース２０に確実に係止される。
【００３８】
下ケース２０に載置収容された証紙シートＳから顧客の所望した１または２以上の証紙Ｓ１を引きちぎるには、販売員（例えば、郵便局員）が切り裂くべきミンシ目（Ｓａ，Ｓｂ）の近くのシート部分を片手で持って切り裂き動作を行うと、当該ミシン目（Ｓａ，Ｓｂ）が端から切り開かれて証紙Ｓ１が引きちぎられる。
【００３９】
この際、証紙シートＳのミシン目（Ｓａ，Ｓｂ）には、複数の突起針４０を介して切り裂き力が集中して作用することになるため、ミシン目（Ｓａ，Ｓｂ）から外れた部分が切り裂かれてしまうことはない。なお、従来例のように、証紙の引きちぎりに当たって証紙シートを両手で持たなくてもよいので、手との接触面積が大幅に減少し、証紙シートの表面が汚れたり，その裏面に塗付された糊の粘着力が弱まったりするのを抑えることができる。
【００４０】
なお、証紙シートＳの端からミシン目（Ｓａ，Ｓｂ）に至るまでの余白部分を切断する必要がある場合には、上ケース１０を閉じ．カッター５０を当該上ケース１０のカッター挿入溝１５内に挿入しその状態で動かすことにより、余白部分を切断する。カッター挿入溝１５に沿ってカッター５０を動かすので、余白部分を迅速かつ正確に切断できる。
【００４１】
業務終了の際に棚卸をする場合、証紙シートＳがいわゆる虫食い状態となって至りバラバラの証紙Ｓ１になっていたりしても、これらは下ケース２０に整然と載置収容されており、しかも位置ずれさせることなく計数しやすい位置に動かすことができるので、計数，集計を容易かつ正確に行える。この際、上ケース１０の外側から証紙シートＳ等を目視できるので、上ケース１０と下ケース２０とを閉じた状態で計数等できる。業務開始の際の棚卸しも同様に容易かつ正確に行える。
【００４２】
しかして、この実施形態によれば、開閉可能に連結された上ケース１０と下ケース２０とを設け、下ケース２０に証紙シートＳをクランパー３０と複数の突起針４０とを用いて載置収容する構成であるので、証紙シートＳが虫食い状態となったりバラバラの証紙になっても下ケース２０に整然と載置収容しておくことができ、証紙の棚卸作業を迅速かつ正確に行うことができる。また、証紙Ｓ１をミシン目（Ｓａ，Ｓｂ）から外れることなく引きちぎることができる。
【００４３】
また、下ケース２０にカッター逃げ溝２５が形成されているので、証紙シートＳの端からミシン目（Ｓａ，Ｓｂ）に至るまでの部分をカッターで深く切り込みを入れて一段と確実に切断することができる。これにより、証紙Ｓ１の一部が証紙シートＳの余白部分に接する場合でも迅速かつ確実に引きちぎることができる。  また、上ケース１０にカッター挿入溝１５が形成されているので、上ケース１０と下ケース２０とを閉じたままの状態で、カッター挿入溝１５内でカッターを動かすことにより、下ケース２０に載置収容した証紙シートＳの端からミシン目（Ｓａ，Ｓｂ）に至るまでの部分を迅速かつ正確に切断することができる。したがって、証紙Ｓ１の一部が証紙シートＳの余白部分に接する場合でも迅速かつ確実に引きちぎることができる。
【００４４】
また、上ケース１０に空気穴１６が設けられているので、上ケース１０と下ケース２０とを開放する際に、下ケース２０に載置収容された証紙シートＳが当該下ケース２０から持ち上がって位置ずれするのを一段と確実に防止することができる。
【００４５】
また、上ケース１０と下ケース２０とを閉じた状態において下ケース２０に載置収容された証紙シートＳを上ケース１０の外側から透視できるので、両ケース（１０，２０）を閉じたままの状態で証紙の計数，集計を行える。したがって、証紙の棚卸作業を一段と迅速かつ正確に行うことができる。また、両ケース（１０，２０）を閉じたままの状態で証紙読取計数出力装置（図示省略）まで搬送し、当該装置によって証紙画像を読み取らせて各証紙の計数，集計を自動的に行うことも可能である。
【００４６】
さらに、クランパー３０が下ケース２０の幅方向に離隔配設されたクランパー要素３１から形成されているので、証紙シートＳが虫食い状態となったりバラバラの証紙Ｓになっても下ケース２０に確実にクランプしておくことができ、証紙の棚卸作業を一段と迅速かつ確実に行うことができる。
【００４７】
また、上ケース１０は各開き角度規制部１７によって開き角度が規制され、かつ上ケース１０に外力を加えて当該上ケース１０を規制された開き角度θ以上に開くことによって各クランパー要素３１を一斉にアンクランプ動作させることができるので、下ケース２０への証紙シートＳの取付け・取外し，証紙の引きちぎりを一段と迅速かつ確実に行える。
【００４８】
【発明の効果】
請求項１の発明によれば、開閉可能に連結された上ケースと下ケースとを設け、下ケースに証紙シートをクランパーと複数の突起針とを用いて載置収容するので、いわゆる虫食い状態の証紙シートやバラバラの証紙であっても下ケースに整然と載置収容しておくことができ、証紙の棚卸作業を迅速かつ正確に行うことができる。また、証紙をミシン目から外れることなく引きちぎることができる。
【００４９】
請求項２の発明によれば、下ケースにカッター逃げ溝が形成されているので、証紙シートの端からミシン目に至るまでの部分をカッターで深く切り込みを入れて確実に切断することができる。したがって、請求項１の発明の場合と同様な効果を奏し得るとともに、証紙の一部が証紙シートの余白部分に接する場合でも迅速かつ確実に引きちぎることができる。
【００５０】
請求項３の発明によれば、上ケースにカッター挿入溝が形成されているので、上ケースと下ケースとを閉じたままの状態で、カッター挿入溝内でカッターを動かすことにより、下ケースに載置収容した証紙シートの端からミシン目に至るまでの部分を迅速かつ正確に切断することができる。したがって、請求項１および請求項２の発明の場合と同様な効果を奏し得るとともに、証紙の一部が証紙シートの余白部分に接する場合でも迅速かつ確実に引きちぎることができる。
【００５１】
請求項４の発明によれば、上ケースに空気穴が設けられているので、請求項１から請求項３の発明の場合と同様な効果を奏し得るとともに、上ケースと下ケースとを開放する際に、下ケースに載置収容された証紙シートが当該下ケースから持ち上がって位置ずれするのを一段と確実に防止することができる。
【００５２】
請求項５の発明によれば、上ケースと下ケースとを閉じた状態において下ケースに載置収容された証紙シートを上ケースの外側から透視できるので、両ケースを閉じたままの状態で証紙の計数を行える。したがって、請求項１から請求項４の発明の場合と同様な効果を奏し得るとともに、証紙の棚卸作業を一段と迅速かつ正確に行うことができる。また、両ケースを閉じたままの状態で証紙読取計数出力装置（図示省略）まで搬送し、当該装置によって証紙画像を読み取らせて各証紙の計数，集計を自動的に行うことも可能である。
【００５３】
請求項６の発明によれば、クランパーが下ケースの幅方向に離隔配設されたクランパー要素から形成されているので、証紙シートが虫食い状態となったりバラバラの証紙になっても下ケースに一段と確実にクランプしておくことができ、証紙の棚卸作業を一段と迅速かつ正確に行うことができる。
【００５４】
また、上ケースは各開き角度規制部によって開き角度が規制され、しかも上ケースに外力を加えて当該上ケースを規制された開き角度以上に開くことによって各クランパー要素を一斉にアンクランプ動作させることができるので、請求項１から請求項５の発明の場合と同様な効果を奏し得るとともに、下ケースへの証紙シートの取付け・取外し等を一段と迅速かつ確実に行える。
【図面の簡単な説明】
【図１】本発明の実施形態を説明するための正面図である。
【図２】同じく、下ケースと上ケースとクランパーとの位置関係を説明するための正面図である。
【図３】同じく、下ケースと上ケースとクランパーとの位置関係を説明するための側面図である。
【図４】同じく、クランパー要素と開き角度規制部とを説明するための側面図である。
【図５】下ケースと上ケースとを閉じた状態を説明するための側面図である。
【図６】下ケースと上ケースとを閉じた状態を説明するための正面図である。
【符号の説明】
１０  上ケース
１５  カッター挿入溝
１６  空気穴
１７  開き角度規制部
２０  下ケース
２５  カッター逃げ溝
３０  クランパー
３１  クランパー要素
３２  クランプ部
３３  係止部
４０  突起針
【図１】
0003638716.tif 000002
【図２】
0003638716.tif 000003
【図３】
0003638716.tif 000004
【図４】
0003638716.tif 000005
【図５】
0003638716.tif 000006
【図６】
0003638716.tif 000007